(57)【要約】【課題】外部回路を設けることなく、簡単な回路構成で、既存の通信回路間に通信動作に支障を与えることなく並列に接続できるようにする。【解決手段】既存の通信回路ＡとＢとの間に並列に追加通信回路Ｄを接続する。追加通信回路Ｄは集積回路ＩＣＤとレギュレータ回路ＲＧＤとを有している。集積回路ＩＣＤにおいて、入力バッファＤＢＦ２，ＤＢＦ３の入力端子とグランドラインとの間には静電保護ダイオードＤＤ２，ＤＤ４を接続するが、入力端子と電源ラインとの間には静電保護ダイオードは接続しない。また、入力バッファＤＢＦ２，ＤＢＦ３の入力端子とグランドラインとの間には、プルダウン抵抗を設けない。スタンバイ制御時、レギュレータ回路ＲＧＤから、電源レベルとグランドレベルとを繰り返すレギュレータ出力ＶＯＵＴを集積回路ＩＣＤに供給する。【選択図】　　　　図１
2004096348.tif 000002
【特許請求の範囲】
【請求項１】
第１の通信回路と第２の通信回路との間に並列に接続される通信回路において、
入力バッファと、
出力バッファと、
前記入力バッファの入力端子とグランドラインとの間に接続された静電気対策用の保護ダイオードと、
スタンバイ制御信号を受けて、電源レベルとグランドレベルとを繰り返すレギュレータ出力を生成し、このレギュレータ出力を前記入力バッファおよび前記出力バッファに供給し、これらバッファのモードを不定としてそのバッファの出力端子と次段の回路との接続を遮断するレギュレータ回路とを備え、
前記入力バッファの入力端子とグランドラインとの間にはプルダウン抵抗が接続されておらず、
前記入力バッファの入力端子と電源ラインとの間には静電気対策用の保護ダイオードが接続されていない
ことを特徴とする通信回路。
【発明の詳細な説明】
【０００１】
【発明の属する技術分野】
この発明は、第１の通信回路と第２の通信回路との間に並列に接続される通信回路（追加通信回路）に関するものである。
【０００２】
【従来の技術】
図５に２つの通信回路を用いた通信システムを示す。同図において、Ａは第１の通信回路、Ｂは第２の通信回路であり、第１の通信回路Ａは通信用の半導体集積回路（以下、集積回路と呼ぶ）ＩＣＡとレギュレータ回路ＲＧＡとを有し、第２の通信回路Ｂは集積回路ＩＣＢとレギュレータ回路ＲＧＢとを有している。
【０００３】
集積回路ＩＣＡは、そのインタフェース部に、ＣＭＯＳ（相補型金属酸化膜半導体：Ｃｏｍｐｌｅｍｅｔａｒｙ　Ｍｅｔａｌ−ｏｘｉｄｏ−ｓｅｍｉｃｏｎｄａｃｔｏｒ）型の出力バッファＡＢＦ１，ＡＢＦ４と、ＣＭＯＳ型の入力バッファＡＢＦ２，ＡＢＦ３とを有している。出力バッファＡＢＦ１，ＡＢＦ４は、トライステートバッファとされ、その出力値として「Ｈ」，「ＨＩＺ（中間値）」，「Ｌ」の３つの値を取り得る。
【０００４】
入力バッファＡＢＦ２には、入力端子と電源ラインとの間に第１の静電気対策用の保護ダイオード（以下、静電保護ダイオードと呼ぶ）ＡＤ１が接続されており、また、入力端子とグランドラインとの間に第２の静電保護ダイオードＡＤ２が接続されている。静電保護ダイオードＡＤ１は対電源用、静電保護ダイオードＡＤ２は対グランド用として設けられている。また、入力バッファＡＢＦ２には、入力端子とグランドラインとの間にプルダウン抵抗ＡＲ１が接続されている。入力バッファＡＢＦ３に対しても、入力バッファＡＢＦ２と同様にして、対電源用の静電保護ダイオードＡＤ３，対グランド用の静電保護ダイオードＡＤ４およびプルダウン抵抗ＡＲ２が設けられている。
【０００５】
集積回路ＩＣＢも集積回路ＩＣＡと同様、そのインタフェース部に、ＣＭＯＳ型の出力バッファＢＢＦ１，ＢＢＦ４と、ＣＭＯＳ型の入力バッファＢＢＦ２，ＢＢＦ３とを有している。出力バッファＢＢＦ１，ＢＢＦ４は、トライステートバッファとされ、その出力値として「Ｈ」，「ＨＩＺ」，「Ｌ」の３つの値を取り得る。
【０００６】
入力バッファＢＢＦ２には、入力端子と電源ラインとの間に静電保護ダイオードＢＤ１が接続されており、また、入力端子とグランドラインとの間に第２の静電保護ダイオードＢＤ２が接続されている。静電保護ダイオードＢＤ１は対電源用、静電保護ダイオードＢＤ２は対グランド用として設けられている。また、入力バッファＢＢＦ２には、入力端子とグランドラインとの間にプルダウン抵抗ＢＲ１が接続されている。入力バッファＢＢＦ３に対しても、入力バッファＢＢＦ２と同様にして、対電源用の静電保護ダイオードＢＤ３，対グランド用の静電保護ダイオードＢＤ４およびプルダウン抵抗ＢＲ２が設けられている。
【０００７】
通信回路Ａにおいて、レギュレータ回路ＲＧＡは、電源電圧ＶＤＤを入力とし、集積回路ＩＣＡの出力バッファＡＢＦ１，ＡＢＦ４や入力バッファＡＢＦ２，ＡＢＦ３にレギュレータ出力ＶＯＵＴ（定電圧）を供給する。通信回路Ｂにおいて、レギュレータ回路ＲＧＢは、電源電圧ＶＤＤを入力とし、集積回路ＩＣＢの出力バッファＢＢＦ１，ＢＢＦ４や入力バッファＢＢＦ２，ＢＢＦ３にレギュレータ出力ＶＯＵＴ（定電圧）を供給する。
【０００８】
〔通信回路Ａ，Ｂともにスタンバイモードである場合〕
今、通信回路Ａの出力バッファＡＢＦ１，ＡＢＦ４、通信回路Ｂの出力バッファＢＢＦ１，ＢＢＦ４にそれぞれスタンバイ制御信号（ＯＮ／ＯＦＦ信号）が与えられているものとする。この場合、通信回路Ａの出力バッファＡＢＦ１，ＡＢＦ４の出力値、通信回路Ｂの出力バッファＢＢＦ１，ＢＢＦ４の出力値は共に「ＨＩＺ」とされ、スタンバイモードとされる。
【０００９】
この場合、通信回路Ｂでは、入力バッファＢＢＦ２，ＢＢＦ３の入力端子とグランドラインとの間にプルダウン抵抗ＢＲ１，ＢＲ２が接続されており、このプルダウン抵抗ＢＲ１，ＢＲ２によって信号レベルのドロップが防止されるので、入力バッファＢＢＦ２，ＢＢＦ３が不定モードになることがない。
【００１０】
また、通信回路Ａでも、入力バッファＡＢＦ２，ＡＢＦ３の入力端子とグランドラインとの間にプルダウン抵抗ＡＲ１，ＡＲ２が接続されており、このプルダウン抵抗ＡＲ１，ＡＲ２によって信号レベルのドロップが防止されるので、入力バッファＡＢＦ２，ＡＢＦ３が不定モードになることがない。なお、プルダウン抵抗ＡＲ１，ＡＲ２，ＢＲ１，ＢＲ２としては、通常、１００ｋΩ以上の値のものが用いられる。
【００１１】
〔通信回路Ａ，Ｂ間の通信〕
通信回路Ａから通信回路Ｂへ通信を行う場合、出力バッファＡＢＦ１，ＡＢＦ４へのスタンバイ制御信号を取り去り、通信モードとする。これにより、出力バッファＡＢＦ１，ＡＢＦ４は、前段の回路から送られてくる「Ｈ」，「Ｌ」レベルの変化で表される通信信号を出力する。この通信信号は、通信回路Ｂの入力バッファＢＢＦ２，ＢＢＦ３に入力され、入力バッファＢＢＦ２，ＢＢＦ３の出力端子に接続された次段の回路へ送られる。
【００１２】
通信回路Ｂから通信回路Ａへ通信を行う場合、出力バッファＢＢＦ１，ＢＢＦ４へのスタンバイ制御信号を取り去り、通信モードとする。出力バッファＢＢＦ１，ＢＢＦ４は、前段の回路から送られてくる「Ｈ」，「Ｌ」レベルの変化で表される通信信号を出力する。この通信信号は、通信回路Ａの入力バッファＡＢＦ２，ＡＢＦ３に入力され、入力バッファＡＢＦ２，ＡＢＦ３の出力端子に接続された次段の回路へ送られる。
【００１３】
〔通信回路の追加〕
図５に示した通信回路Ａと通信回路Ｂとを接続したシステムを既存の通信システムとした場合、この既存の通信システムに対して追加する形で別の通信回路を並列に接続することがある。図６に通信回路Ａと通信回路Ｂとの間に通信回路（追加通信回路）Ｃを並列に接続した例を示す。
【００１４】
この例では、通信回路Ｃを通信回路Ａ，Ｂと同構成とし、通信回路Ａの出力バッファＡＢＦ１と通信回路Ｂの入力バッファＢＢＦ２との接続ラインＬ１にラインＬ１’を介して通信回路Ｃの入力バッファＣＢＦ２を接続し、通信回路Ａの入力バッファＡＢＦ２と通信回路Ｂの出力バッファＢＢＦ１との接続ラインＬ２にラインＬ２’を介して通信回路Ｃの出力バッファＣＢＦ１を接続し、通信回路Ａの入力バッファＡＢＦ３と通信回路Ｂの出力バッファＢＢＦ４との接続ラインＬ３にラインＬ３’を介して通信回路Ｃの出力バッファＣＢＦ４を接続し、通信回路Ａの出力バッファＡＢＦ４と通信回路Ｂの入力バッファＢＢＦ３との接続ラインＬ４にラインＬ４’を介して通信回路Ｃの入力バッファＣＢＦ３を接続している。
【００１５】
【発明が解決しようとする課題】
しかしながら、この通信回路Ｃを追加した通信システムでは、例えば、通信回路Ａの出力バッファＡＢＦ１から通信回路Ｂの入力バッファＢＢＦ２へ通信信号を送る場合（通信回路Ｂ，Ｃはスタンバイモード）、ラインＬ１を介して通信回路Ｂのプルダウン抵抗ＢＲ１に流れる電流（経路▲１▼−Ｂの電流）と、ラインＬ１’を介して通信回路Ｃのプルダウン抵抗ＣＲ１に流れる電流（経路▲１▼−Ｃの電流）との２経路の電流が生じ、ラインＬ１上のＤＣバイアス電圧に変化をもたらすため、信号レベルが確保できない状況に陥ることがあった。
【００１６】
すなわち、通信回路Ａの出力バッファＡＢＦ１に対するプルダウン抵抗が既存の通信回路Ｂのプルダウン抵抗ＢＲ１と通信回路Ｃのプルダウン抵抗ＣＲ１との並列抵抗値となり、抵抗値が下がることによって出力バッファＡＢＦ１からの出力電流（経路▲１▼の電流）が増加するため、通信回路Ｂの入力バッファＢＢＦ２への信号レベルが低下し、通信動作が不安定となる。
【００１７】
通信回路Ａの出力バッファＡＢＦ４から通信回路Ｂの入力バッファＢＢＦ３へ通信信号を送る場合にも、上述と同様にして、ラインＬ４を介して通信回路Ｂのプルダウン抵抗ＢＲ２に流れる電流（経路▲１▼−Ｂの電流）と、ラインＬ４’を介して通信回路Ｃのプルダウン抵抗ＣＲ１に流れる電流（経路▲１▼−Ｃ）との２経路の電流が生じ、ラインＬ４上のＤＣバイアス電圧に変化をもたらす。
【００１８】
このような不具合を解消するために、図７に示した通信システムでは、ラインＬ１’〜Ｌ４’の途中に外部回路１００を設け、また通信回路Ｃへのスタンバイ制御信号を外部回路１００へ分岐して与え、通信回路Ｃがスタンバイモードにある場合にはラインＬ１〜Ｌ４と通信回路Ｃとの接続を遮断するようにしている。
【００１９】
外部回路１００としては、図８（ａ）に示すようなスイッチ回路１０１を想定しており、通信回路Ｃをスタンバイモードとしているときは、すなわち通信回路Ｃの出力バッファＣＢＦ１，ＣＢＦ４にスタンバイ制御信号を与えているときは、外部回路１００におけるスイッチ回路１０１をＯＦＦとし、ラインＬ１〜Ｌ４と通信回路Ｃとの接続を遮断するようにする。図８（ｂ）にスイッチ回路１０１をＣＭＯＳトランジスタ（Ｎチャネル、Ｐチャネル）１０１−１とインバータ１０１−２とを用いて具現化した例を示す。
【００２０】
これにより、通信回路Ａの出力バッファＡＢＦ１から通信回路Ｂの入力バッファＢＢＦ２へ通信信号を送る場合にラインＬ１’を介して通信回路Ｃのプルダウン抵抗ＣＲ１に流れようとする電流が遮断され、また、通信回路Ａの出力バッファＡＢＦ４から通信回路Ｂの入力バッファＢＢＦ４へ通信信号を送る場合にラインＬ４’を介して通信回路Ｃのプルダウン抵抗ＣＲ２に流れようとする電流が遮断され、ラインＬ１，Ｌ４上のＤＣバイアス電圧の変化が防がれる。
【００２１】
しかしながら、この通信システムでは、外部回路１００を別個に設ける必要があり、コストがアップする。また、通信回路Ｃを利用しない場合は、スタンバイ制御信号によってラインＬ１’〜Ｌ４’を切り離す必要があり、回路構成が複雑となる。
【００２２】
本発明はこのような課題を解決するためになされたもので、その目的とするところは、外部回路を設けることなく、簡単な回路構成で、既存の通信回路間に通信動作に支障を与えることなく並列に接続することのできる通信回路（追加通信回路）を提供することにある。
【００２３】
【課題を解決するための手段】
このような目的を達成するために、本発明の通信回路（追加通信回路）は、入力バッファと、出力バッファと、入力バッファの入力端子とグランドラインとの間に接続された静電保護ダイオードと、スタンバイ制御信号を受けて、電源レベルとグランドレベルとを繰り返すレギュレータ出力を生成し、このレギュレータ出力を入力バッファおよび出力バッファに供給し、これらバッファのモードを不定としてそのバッファの出力端子と次段の回路との接続を遮断するレギュレータ回路とを備えた構成としたものである。
【００２４】
この発明によれば、第１の通信回路と第２の通信回路との間に並列に接続し、スタンバイモードとして待機している場合、電源レベルとグランドレベルとを繰り返すレギュレータ出力が入力バッファおよび出力バッファに供給され、これらバッファのモードが不定となって、そのバッファの出力端子と次段の回路との接続が遮断される。
【００２５】
この場合、入力バッファと次段の回路との接続が遮断されることから、第１の通信回路および第２の通信回路の出力バッファの出力値が「ＨＩＺ」の時、入力バッファに与えられる信号レベルのドロップを防止する必要はなく、入力バッファの入力端子とグランドラインとの間にはプルダウン抵抗を設ける必要がない。すなわち、本発明の通信回路（追加通信回路）では、入力バッファの入力端子とグランドラインとの間にはプルダウン抵抗を設けておらず、プルダウン抵抗を介して流れようとする電流は生じない。
【００２６】
また、本発明の通信回路（追加通信回路）では、入力バッファの入力端子と電源ラインとの間には静電保護ダイオードを設けておらず、レギュレータ回路のレギュレータ出力がグランドレベルとなっても、この静電保護ダイオードを介して流れようとする電流は生じない。
【００２７】
【発明の実施の形態】
以下、本発明を図面に基づいて詳細に説明する。図１はこの発明に係る通信回路（追加通信回路）の一実施の形態を既存の通信回路間に並列に接続した通信システムの一例を示す構成図である。同図において、図６と同一符号は同一或いは同等構成要素を示し、その説明は省略する。なお、従来の追加通信回路Ｃと区別するために、本実施の形態の追加通信回路をＤとする。
【００２８】
この通信システムにおいて、追加通信回路Ｄの集積回路ＩＣＤは、そのインターフェイス部に、ＣＭＯＳ型の出力バッファＤＢＦ１，ＤＢＦ４と、ＣＭＯＳ型の入力バッファＤＢＦ２，ＤＢＦ３とを有している。
【００２９】
従来の追加通信回路Ｃでは、出力バッファＣＢＦ１，ＣＢＦ４としてトライステートバッファを使用していたが、本実施の形態の追加通信回路Ｄでは、出力バッファＤＢＦ１，ＤＢＦ４としては通常の２出力タイプ（「Ｈ」／「Ｌ」）のバッファを使用している。
【００３０】
また、従来の追加通信回路Ｃでは、入力バッファＣＢＦ２，ＣＢＦ３の入力端子とグランドラインとの間にプルダウン抵抗ＣＲ１，ＣＲ２を接続していたが、本実施の形態の追加通信回路Ｄでは、入力バッファＤＢＦ２，ＤＢＦ３の入力端子とグランドラインとの間にはプルダウン抵抗を接続していない。
【００３１】
また、従来の追加通信回路Ｃでは、入力バッファＣＢＦ２，ＣＢＦ３の入力端子と電源ラインとの間に静電保護ダイオードＣＤ１，ＣＤ３を接続していたが、本実施の形態の追加通信回路Ｄでは、入力バッファＤＢＦ２，ＤＢＦ３の入力端子と電源ラインとの間には静電保護ダイオードを接続していない。すなわち、入力バッファＤＢＦ２，ＤＢＦ３の入力端子とグランドラインとの間に静電保護ダイオードＣＤ２，ＣＤ４を接続しているのみで、対電源用の静電保護ダイオードは設けていない。
【００３２】
また、従来の追加通信回路Ｃでは、レギュレータ回路ＲＧＣから集積回路ＩＣＣにレギュレータ出力ＶＯＵＴとして定電圧を常に供給するようにしたが、本実施の形態の追加通信回路Ｄでは、スタンバイ制御信号をレギュレータ回路ＲＧＤへ与えるようにし、通信動作時にはレギュレータ回路ＲＧＤから集積回路ＩＣＤにレギュレータ出力ＶＯＵＴとして定電圧を与えるが、スタンバイ制御時には、スタンバイ制御信号のＯＮ／ＯＦＦに応じて電源レベルとグランドレベル（０Ｖ）とを繰り返すレギュレータ出力ＶＯＵＴを集積回路ＩＣＤに与えるようにしている。
【００３３】
〔通信回路Ａから通信回路Ｂへの通信〕
今、この追加通信回路Ｄを接続した通信システムにおいて、例えば、追加通信回路Ｄをスタンバイモードとし、通信回路Ａの出力バッファＡＢＦ１から通信回路Ｂの入力バッファＢＢＦ２へ通信信号を送るものとする。
【００３４】
この場合、追加通信回路Ｄのレギュレータ回路ＲＧＤは、入力されるスタンバイ制御信号のＯＮ／ＯＦＦに応じて電源レベルとグランドレベルとを繰り返すレギュレータ出力ＶＯＵＴを生成し、集積回路ＩＣＤへ供給する。このレギュレータ出力は、集積回路ＩＣＤの入力バッファＤＢＦ２，ＤＢＦ３および出力バッファＤＢＦ１，ＤＢＦ４に供給される。
【００３５】
このレギュレータ回路ＲＧＤからの電源レベルとグランドレベルとを繰り返すレギュレータ出力ＶＯＵＴを受けて、入力バッファＤＢＦ２，ＤＢＦ３および出力バッファＤＢＦ１，ＤＢＦ４のモードが不定となり、入力バッファＤＢＦ２，ＤＢＦ３および出力バッファＤＢＦ１，ＤＢＦ４の出力端子と次段の回路との接続が遮断される。すなわち、入力バッファＤＢＦ２，ＤＢＦ３の出力端子と集積回路ＩＣＤ内の次段の回路との接続が遮断され、出力バッファＤＢＦ１，ＤＢＦ４と通信回路Ａにおける入力バッファＡＢＦ２，ＡＢＦ３との接続が遮断される。
【００３６】
このような状態で、通信回路Ａの出力バッファＡＢＦ１から通信回路Ｂの入力バッファＢＢＦ２へ通信信号が送られる。この通信信号の送信中、図６に示した従来の通信システムでは、ラインＬ１を介して通信回路Ｂのプルダウン抵抗ＢＲ１に流れる電流（経路▲１▼−Ｂの電流）と、ラインＬ１’を介して通信回路Ｃのプルダウン抵抗ＣＲ１に流れる電流（経路▲１▼−Ｃの電流）との２経路の電流が生じていた。
【００３７】
これに対し、図１の通信システムでは、ラインＬ１を介して通信回路Ｂのプルダウン抵抗ＢＲ１に流れる経路▲１▼−Ｂの電流は生じるが、追加通信回路Ｄでは入力バッファＤＢＦ２の入力端子とグランドラインとの間にはプルダウン抵抗が設けられていないので、ラインＬ１’を介して流れようとする経路▲１▼−Ｄの電流は生じない。これにより、通信回路Ｂの入力バッファＢＦ２への信号レベルが低下することがなく、安定した通信動作を得ることができる。
【００３８】
通信回路Ａの出力バッファＡＢＦ４から通信回路Ｂの入力バッファＢＢＦ３へ通信信号を送る場合にも、上述と同様にして、ラインＬ４を介して通信回路Ｂのプルダウン抵抗ＢＲ２に流れる電流は生じるが、ラインＬ４’を介して流れようとする経路▲１▼−Ｄの電流は生じない。これにより、通信回路Ｂの入力バッファＢＦ３への信号レベルが低下することがなく、安定した通信動作を得ることができる。
【００３９】
なお、スタンバイ制御時には、レギュレータ回路ＲＧＤから電源レベルとグランドレベルとを繰り返すレギュレータ出力ＶＯＵＴを集積回路ＩＣＤに供給するので、集積回路ＩＣＤでの消費電力が軽減されるという効果も得られる。
また、通信動作時には、レギュレータ回路ＲＧＤから定電圧がレギュレータ出力ＶＯＵＴとして集積回路ＩＣＤに供給されるので、追加通信回路Ｃから通信回路ＡやＢへの通信が支障なく行われる。
【００４０】
〔入力バッファＤＢＦ２，ＤＢＦ３に対するプルダウン抵抗が不要である理由〕通信回路Ａや通信回路Ｂがスタンバイモードにあり、出力バッファＡＢＦ１，ＡＢＦ４やＢＢＦ１，ＢＢＦ４の出力値が「ＨＩＺ」である時、スタンバイモードにある追加通信回路Ｄの入力バッファＤＢＦ２，ＤＢＦ３の出力端子と次段の回路との接続は遮断されている。したがって、追加通信回路Ｄの入力バッファＤＢＦ２，ＤＢＦ３に与えられる信号レベルのドロップを防止する必要がなく、追加通信回路Ｄにおいて、入力バッファＤＢＦ２，ＤＢＦ３の入力端子とグランドラインとの間にはプルダウン抵抗を設ける必要がない。
【００４１】
〔対電源用の静電保護ダイオードを省いた理由〕
図２（ａ）に追加通信回路Ｄの入力バッファＤＢＦ２，ＤＢＦ３の入力端子と電源ラインとの間に静電保護ダイオードＤＤ１，ＤＤ３を設けた例を示す。この場合、スタンバイ制御時には、レギュレータ回路ＲＧＤからのレギュレータ出力ＶＯＵＴが電源レベル（ＶＤＤ）とグランドレベル（０Ｖ）とを繰り返すので、レギュレータ出力ＶＯＵＴがグランドレベルとなったとき、静電保護ダイオードＤＤ１，ＤＤ３の経路（経路▲２▼）で電流が流れる。これに対し、図２（ｂ）に示すように、対電源用の静電保護ダイオードＤＤ１，ＤＤ３を省けば、経路▲２▼の電流が流れなくなる。
【００４２】
図３（ａ），（ｂ）にレギュレータ回路ＲＧＤの具体的な回路構成例を示す。このような構成のレギュレータ回路ＲＧＤの入力端子Ｐ４に、スタンバイモード時にはスタンバイ制御信号を与え、通信動作時には電源電圧ＶＤＤを与え、出力端子Ｐ１からレギュレータ出力ＶＯＵＴを得る（図４参照）。レギュレータ回路ＲＧＤの端子Ｐ４とＰ２とはグランドラインに接続する。このレギュレータ回路ＲＧＤでは、動作ＯＦＦ時にレギュレータ出力ＶＯＵＴが内部の回路抵抗を介してグランドレベルとなる。
【００４３】
【発明の効果】
以上説明したことから明らかなように本発明の通信回路（追加通信回路）によれば、スタンバイ制御信号を受けて、電源レベルとグランドレベルとを繰り返すレギュレータ出力を生成し、このレギュレータ出力を入力バッファおよび出力バッファに供給し、これらバッファのモードを不定としてそのバッファの出力端子と次段の回路との接続を遮断するレギュレータ回路を設け、入力バッファの入力端子とグランドラインとの間のプルダウン抵抗を省略し、また入力バッファの入力端子と電源ラインとの間の静電保護ダイオードを省略したことにより、外部回路を設けることなく、簡単な回路構成で、既存の通信回路間に通信動作に支障を与えることなく並列に接続することができるようになる。
【図面の簡単な説明】
【図１】本発明に係る通信回路（追加通信回路）の一実施の形態を既存の通信回路間に並列に接続した通信システムの一例を示す構成図である。
【図２】図１に示した追加通信回路において対電源用の静電保護ダイオードを省いた理由を説明する図である。
【図３】この追加通信回路に用いるレギュレータ回路の具体的な回路構成例を示す図である。
【図４】このレギュレータ回路の入出力端子の接続例を示す図である。
【図５】通信回路ＡとＢとを用いた通信システムを示す図である。
【図６】この通信回路ＡとＢとの通信システムに通信回路Ａ，Ｂと同構成の通信回路Ｃを並列に接続した例を示す図である。
【図７】通信回路Ｃへの通信ラインの途中に外部回路を設けた例を示す図である。
【図８】この外部回路に対して想定されるスイッチ回路を例示する図である。
【符号の説明】
Ａ，Ｂ…通信回路、Ｄ…追加通信回路、Ｌ１〜Ｌ４，Ｌ１’〜Ｌ４’…ライン、ＤＢＦ１，ＤＢＦ４…出力バッファ、ＤＢＦ２，ＤＢＦ３…入力バッファ、ＤＤ２，ＤＤ４…静電保護ダイオード、ＩＣＤ…集積回路、ＲＧＤ…レギュレータ回路。
【図１】
2004096348.tif 000003
【図２】
2004096348.tif 000004
【図３】
2004096348.tif 000005
【図４】
2004096348.tif 000006
【図５】
2004096348.tif 000007
【図６】
2004096348.tif 000008
【図７】
2004096348.tif 000009
【図８】
2004096348.tif 000010